(57)【要約】【課題】  カメラの焦点の調整なしで情報が検出でき、情報のコピー／盗難によりなりすましの防止ができる認証方法を提供することを目的とする。【解決手段】  移動通信基地局１０１ａと、携帯通信端末１０５と、認証装置１０４と、認証サーバ１０２とが接続されている移動体通信ネットワークシステムにおいて、認証装置１０４は、配信されたユニークなＩＤ情報を色情報が時系列で変換する動画として変換し、所定の認証装置１０４と認証サーバ１０２との間において、携帯通信端末１０５が備えるテレビ電話を用いることによって、ＩＤ情報の動画を送受信する。【選択図】  図１
2006268689.tif 000002
【特許請求の範囲】
【請求項１】
移動通信基地局と、携帯通信端末と、認証装置と、認証サーバとが接続されている移動体通信ネットワークシステムにおいて、
前記認証装置は、配信されたユニークなＩＤ情報を色情報が時系列で変換する動画として変換し、
所定の前記認証装置と前記認証サーバとの間において、前記携帯通信端末が備えるテレビ電話を用いることによって、前記ＩＤ情報の動画を送受信することを特徴とする移動体通信ネットワークシステム。
【請求項２】
Ｗｅｂサーバがさらに接続されていて、
前記Ｗｅｂサーバは、前記認証サーバから送信されたユニークなＩＤ情報を受信し、前記ＩＤ情報を時系列で色情報が変化する動画データへ符号化し、前記認証装置へ動画を送信し、Ｗｅｂサイトの一部画面を用いて色情報の動画を表示／発光させることを特徴とする請求項１記載の移動体通信ネットワークシステム。
【請求項３】
移動通信基地局と、携帯通信端末と、認証装置と、認証サーバとが接続されている移動体通信ネットワークシステムの認証装置において、
配信されたユニークなＩＤ情報を色情報が時系列で変換する動画として変換し、
所定の前記認証装置と前記認証サーバとの間において、前記携帯通信端末が備えるテレビ電話を用いることによって、前記ＩＤ情報の動画を送受信することを特徴とする認証装置。
【請求項４】
移動通信基地局と、携帯通信端末と、認証装置と、認証サーバとが接続され、前記認証装置にはＷｅｂサーバがさらに接続されている移動体通信ネットワークシステムのＷｅｂサーバにおいて、
前記認証サーバから送信されたユニークなＩＤ情報を受信し、前記ＩＤ情報を時系列で色情報が変化する動画データへ符号化し、
前記認証装置へ動画を送信し、
Ｗｅｂサイトの一部画面を用いて色情報の動画を表示／発光させることを特徴とするＷｅｂサーバ。
【請求項５】
移動通信基地局と、携帯通信端末と、認証装置と、認証サーバとが接続されている移動体通信ネットワークシステムの認証装置の駆動方法において、
配信されたユニークなＩＤ情報を色情報が時系列で変換する動画として変換し、
所定の前記認証装置と前記認証サーバとの間において、前記携帯通信端末が備えるテレビ電話を用いることによって、前記ＩＤ情報の動画を送受信することを特徴とする認証装置の駆動方法。
【請求項６】
移動通信基地局と、携帯通信端末と、認証装置と、認証サーバとが接続され、前記認証装置にはＷｅｂサーバがさらに接続されている移動体通信ネットワークシステムのＷｅｂサーバの駆動方法において、
前記認証サーバから送信されたユニークなＩＤ情報を受信し、前記ＩＤ情報を時系列で色情報が変化する動画データへ符号化し、
前記認証装置へ動画を送信し、
Ｗｅｂサイトの一部画面を用いて色情報の動画を表示／発光させることを特徴とするＷｅｂサーバの駆動方法。
【請求項７】
移動通信基地局と、携帯通信端末と、認証装置と、認証サーバとが接続されている移動体通信ネットワークシステムの認証装置の駆動プログラムにおいて、
配信されたユニークなＩＤ情報を色情報が時系列で変換する動画として変換させ、
所定の前記認証装置と前記認証サーバとの間において、前記携帯通信端末が備えるテレビ電話を用いることによって、前記ＩＤ情報の動画を送受信させることを特徴とする認証装置の駆動プログラム。
【請求項８】
移動通信基地局と、携帯通信端末と、認証装置と、認証サーバとが接続され、前記認証装置にはＷｅｂサーバがさらに接続されている移動体通信ネットワークシステムのＷｅｂサーバの駆動プログラムにおいて、
前記認証サーバから送信されたユニークなＩＤ情報を受信させ、
前記ＩＤ情報を時系列で色情報が変化する動画データへ符号化させ、
前記認証装置へ動画を送信させ、
Ｗｅｂサイトの一部画面を用いて色情報の動画を表示／発光させることを特徴とするＷｅｂサーバの駆動プログラム。
【発明の詳細な説明】
【技術分野】
【０００１】
本発明は、移動体通信ネットワークシステム、認証装置、Ｗｅｂサーバ及びこれらの駆動方法、駆動プログラムに関し、特に、なりすましの防止が可能となる移動体通信ネットワークシステム、認証装置、Ｗｅｂサーバ及びこれらの駆動方法、駆動プログラムに関する。
【背景技術】
【０００２】
従来、携帯電話端末を用いた外部からのＩＤ情報の取得方法は、キーパッドによるパスワードの手入力であったり、外部認証装置の通信によるものであり、その通信には無線デバイス（ＩｒＤＡ、Ｂｌｕｅｔｏｏｔｈ、ＲＦＩＤ他）を用いたものが提案されているが、新たなデバイスの追加が必要である。
【０００３】
また、カメラによる情報の取得方法は、バーコード、２次元バーコードなどの記号や文字そのものの検出によるデータ情報方法の例もあるが、記号、文字の読み取りにはカメラの焦点を合わせる必要があり、また取り出した画像から記号を検出するためには、高度な演算機能が端末に要求される。
【特許文献１】特開２００２−１０９１９３号公報
【特許文献２】特開２００３−２２３４２３号公報
【特許文献３】特開２００４−２８０５１８号公報
【発明の開示】
【発明が解決しようとする課題】
【０００４】
しかしながら、従来のカメラとバーコードを用いた識別記号の取得方法においては、次のような課題がある。
【０００５】
第１の課題は、空間上に表示されている記号／文字を検出するため、カメラの焦点の調整なしには情報を検出できないということである。
【０００６】
第２の課題は、記号／文字は不変であるため、情報のコピー／盗難によるなりすましの防止ができないということである。
【０００７】
そこで、本発明は、カメラの焦点の調整なしで情報が検出でき、情報のコピー／盗難によりなりすましの防止ができる認証方法を提供することを目的とする。
【課題を解決するための手段】
【０００８】
本発明は、上記課題を解決するための手段として、移動通信基地局と、携帯通信端末と、認証装置と、認証サーバとが接続されている移動体通信ネットワークシステムにおいて、前記認証装置は、配信されたユニークなＩＤ情報を色情報が時系列で変換する動画として変換し、所定の前記認証装置と前記認証サーバとの間において、前記携帯通信端末が備えるテレビ電話を用いることによって、前記ＩＤ情報の動画を送受信することを特徴とする。
【０００９】
また、本発明は、Ｗｅｂサーバがさらに接続されていて、前記Ｗｅｂサーバは、前記認証サーバから送信されたユニークなＩＤ情報を受信し、前記ＩＤ情報を時系列で色情報が変化する動画データへ符号化し、前記認証装置へ動画を送信し、Ｗｅｂサイトの一部画面を用いて色情報の動画を表示／発光させることを特徴とする。
【発明の効果】
【００１０】
本発明によれば、Ｗｅｂサイトと携帯電話端末間におけるＩＤ情報の送受信を色情報に変換して可視光通信しているので、テレビ電話機能を持つ携帯電話に必ず装備されているカメラとディスプレイ／ＬＥＤを使用するため、端末に新たな通信デバイスの追加が必要なく携帯電話を用いた認証ができる。
【００１１】
また、本発明によれば、ＩＤ情報を時系列で色情報が変化する動画としているので、携帯電話端末によるＩＤ情報取得の際において、色情報の検出はカメラの焦点をあわせる必要がなく、画像から文字／記号を検出する高度な演算処理を端末装置に必要なく認証できる。
【００１２】
さらに、本発明によれば、認証装置から発光されたＩＤ情報の色情報をテレビ電話で転送しているので、認証に関するＩＤ情報の符号／復号化の処理はＷｅｂサーバおよび認証サーバが行うことから、携帯電話端末には認証に関する動作負荷を与えないで認証を行うことができる。
【００１３】
また、本発明によれば、リアルタイムの動画を送信するテレビ電話によってＩＤ情報を転送しているので、Ｏｎｅ−Ｔｉｍｅパスワードが可能であり、リアルタイムでＩＤ情報を変更できることから、動画のコピー／盗難によるなりすましの防止ができる。
【００１４】
さらに、本発明によれば、ユーザはテレビ電話を利用して認証サーバと接続しているので、認証先のＩＤ情報の取得と同時に通信で使用する電話番号により個人を認証することから、個人情報と認証先情報を紐付けて認証できる。
【発明を実施するための最良の形態】
【００１５】
以下、添付図面を参照して本発明を実施するための最良の実施の形態を説明する。
【００１６】
［構成の説明］
図１は、本発明の概要を説明するために使用するブロック図である。
【００１７】
図１に示すように、本実施の形態では、移動通信ネットワーク１０１と、認証サーバ１０２と、インターネット１０３と、認証装置１０４と、携帯通信端末としての携帯電話端末１０５と、ゲート１０７とを備えている。
【００１８】
また、移動通信ネットワーク１０１には、複数の移動通信基地局１０１ａが備わっていて、認証装置１０４には発光／受光素子１０４ａが備わっていて、携帯電話端末１０５に発光／受光素子１０５ａが備わっている。
【００１９】
認証装置１０４は、インターネット１０３を介して認証サーバ１０２と接続されていている。
【００２０】
認証装置１０４は、ＩＤ情報を認証サーバ１０２から受け取りＩＤ情報を時系列で色情報が変化する動画へ符号化する機能を果たすとともに、発光素子１０４ａによって空間へ動画を可視光として発光する機能も果たす。
【００２１】
また、認証装置１０４は、受光素子１０４ａによって可視光の動画を受信し光電変換を行い、動画をＩＤ情報へ復号化する機能を果たし、ＩＤ情報を取り出してインターネット１０３を認証サーバ１０３へＩＤ情報の照合を行う機能も果たす。
【００２２】
認証サーバ１０２は、ユニークなＩＤ情報を生成、インターネット１０３に接続されている認証装置１０４にＩＤ情報を送受信することができ、ＩＤ情報を色情報の時系列の動画へ符号／復号化する機能を果たし、移動体通信ネットワーク１０１に接続されている携帯電話端末１０１ａに対して電話番号の取得とテレビ電話の接続を介してＩＤ情報が含まれた動画の送受信を行うことができる。
【００２３】
また、認証サーバ１０２は、テレビ電話接続時の認証動作中においても新たなＩＤ情報の生成と認証装置１０４への送信を行うことができ、特定のユーザに対して特定の認証装置１０４へリアルタイムで次々に変更されたＩＤ情報を送信することができる。
【００２４】
携帯電話端末１０５は、ユニークな電話番号を持ち、カメラなどの受光素子及び液晶／ＬＥＤ／有機ＥＬに代表される発光素子を有し、認証装置１０４から発光されるＩＤ情報を持つ可視光の動画をテレビ電話を介して認証サーバ１０２へ転送したり、認証サーバ１０２から送信されるＩＤ情報を持った可視光の動画を認証装置１０４の受光素子１０４ａに向けて発光することができる。
【００２５】
上記のような構成なので、認証装置１０４に配信されたユニークなＩＤ情報を色情報が時系列で変化する動画として変換し、特定の認証装置１０４と認証サーバ１０２との間において、テレビ電話を用いることによってＩＤ情報の動画を送受信しているので、携帯電話端末１０５のカメラ／ディスプレイを用いて外部認証装置とＩＤ情報との送受信が可能であり、認証サーバ１０２は接続されているテレビ電話からユーザの電話番号と動画との復号によるユニークなＩＤ情報を同時に取得することで、個人情報と認証先情報の照合／紐付けした認証を行うことができ、鍵となるＩＤ情報をリアルタイムに変更することによってＩＤ情報のコピー／盗難によるなりすましを防止することができる。
【００２６】
図２は、本発明の一実施の形態としての携帯電話のテレビ電話を用いたＷｅｂ認証が示されている。
【００２７】
図２において、Ｗｅｂサーバ１０６は、認証サーバ１０２から送信されたユニークなＩＤ情報を受信する機能を持ち、ＩＤ情報を時系列で色情報が変化する動画データへ符号化する機能を持ち、ユーザのパソコン２０４へ動画を送信し、Ｗｅｂサイトの一部画面を用いて色情報の動画を表示／発光させる機能を有する。
【００２８】
携帯電話端末１０５は、カメラ／カラーディスプレイに代表される発光／受光素子を有するテレビ電話機能を持つ装置であり、認証に使われえるＩＤ情報を含む色情報動画の送受信を行い、テレビ電話機能を利用してパソコン２０４のディスプレイと認証サーバ１０２間における色情報動画の転送を行う。
【００２９】
認証サーバ１０２は、認証の鍵となるユニークなＩＤ情報を生成し、生成されたＩＤ情報は認証先情報と紐付けされてデータベース内に格納される。
【００３０】
認証時には、移動通信ネットワークに接続されている携帯電話端末からのテレビ電話の着信を行い、携帯電話端末から送信されるテレビ電話動画の受信を行う。
【００３１】
移動通信ネットワークとの接続により、テレビ電話発信元の電話番号を取得する。
【００３２】
認証サーバはテレビ電話から転送されている色情報の動画を復号することによってＩＤ情報を取得し、ＩＤ情報データベースの照合によって発信元ユーザが入場を行いたいＷｅｂサイトを認識し、電話発信元の電話番号の取得による個人情報データベースの照合によってその個人はＷｅｂサイトの入場を許可されている個人かどうか認証を行う。
【００３３】
図３は、図２に示すＷｅｂサーバ１０６と、パソコン２０４との構成を詳細に示すブロック図である。
【００３４】
図３に示すように、Ｗｅｂサーバ１０６は、Ｗｅｂサイト情報のデータベース１０６ａ、ＩＤ情報処理プログラム１０６ｂ及び認証プログラム１０６ｃの機能を果たす。
【００３５】
ＩＤ情報処理プログラム１０６ｂは、認証サーバ１０２から送信されたユニークなＩＤ情報を可視光通信を用いてパソコン２０４のディスプレイ２０４ａから携帯電話端末１０５へ送信するために、色情報を時系列で変化する動画に変換を行うプログラムである。
【００３６】
認証の際にはＷｅｂサイトの一部の情報に、この色情報の動画を再生／発光することで携帯電話のカメラで情報を受信できるようにする。
【００３７】
Ｗｅｂサーバ１０６はインターネット１０３を介してパソコン２０４と接続されており、そのＷｅｂサイト情報はパソコン２０４のディスプレイ２０４ａを用いて表示する構成であり、認証機能よりアクセス権限のある個人のみＷｅｂサイト情報にアクセスすることができる。
【００３８】
図４は、図２に示す色情報による可視光通信の詳細な構成を示す図である。
【００３９】
図４に示すように、ここでは一例として通信に使用する色を、赤、緑、青の３原色を用い、表１のように下限を０、上限を２５５の数値とした色情報とする。
【００４０】
【表１】
2006268689.tif 000003
受信側ではある一定の閾値を設けて、上限下限に近い値を取得して色を判断する。
【００４１】
表２のように色の組み合わせでデータ値と対応させて、ＩＤ情報を時間に伴って色情報が変化する動画データへと変換を行うが、ここでは色の変化点を検出する方式をとるため、色の組み合わせにおいては必ず色が変更する色の組み合わせとする。
【００４２】
【表２】
2006268689.tif 000004
ある単位における色情報の変化の回数が、２回変化の場合は６通りの組み合わせによるデータ送信が可能であり、３回変化の場合は１２通りの組み合わせによるデータ送信が可能となる。
【００４３】
図３では白（Ｗ:２５５、２５５、２５５）を挟んで３回変化の色情報を動画データとして送信し、「１」のデータを送信している例である。
【００４４】
ここでは例として３色の色変化によるデータ送信を示したが、それぞれを混ぜ合わせた黄色、水色、紫色などその他の色を用いた組み合わせとしてもよく、色数が多くなるほどデータの組み合わせを多くすることができる。
【００４５】
図５は、図２に示す認証サーバ１０２の詳細な構成が示すブロック図である。
【００４６】
図５に示すように、制御部１０２ａは、各機能部及びデータベースの制御を行い、Ｗｅｂサイトへ対してＩＤ情報の送信を行い、携帯電話へ対してテレビ電話での発着呼の制御を行う。
【００４７】
認証ＩＤデータベース１０２ｂは、ＩＤ情報が指定されたＷｅｂサイト情報と対になって格納されており、電話番号データベースは許可を出す特定の個人情報を電話番号と対になって格納されている。
【００４８】
認証ＩＤ処理部１０２ｃは、認証ＩＤデータベース１０２ｂ内に収められている鍵となるＩＤ情報を色情報の動画データへ符号化する機能と、色情報の動画データをＩＤ情報へ復号化する機能を有する。
【００４９】
動画処理部１０２ｄは、携帯電話とテレビ電話の接続を行う際に使用され、認証ＩＤが符号化された動画を携帯電話が動画再生可能なデータへと符号化する機能と、移動通信ネットワークから送られてきたテレビ電話の動画データを色情報へと復号する機能を有する。
【００５０】
ネットワーク制御部１０２ｅは、移動通信ネットワークおよび認証装置が接続されているネットワークとの終端点であり、Ｗｅｂサーバに対してインターネットに接続してＩＤ情報の送信を行い、携帯電話に対して移動通信ネットワークに接続してテレビ電話の着信および電話番号の取得を行う。
【００５１】
以上、実施の形態の構成を述べたが、図２の携帯電話端末、移動通信ネットワークおよび移動通信基地局は、当業者にとってよく知られており、また本発明とは直接関係しないので、その詳細な構成は省略する。
【００５２】
なお、上記実施の形態では、Ｗｅｂサイトとして、銀行ＡＴＭの個人認証や物理的なゲートなどとしてもよい。
【００５３】
また、テレビ電話と電話番号として、メール送信やダウンロードにて携帯電話端末のメモリに保存された動画データの再生とメールアドレスとしてもよい。
【００５４】
また、携帯電話端末については、識別記号を持つＰＤＡやノートパソコンなどサーバに接続可能で動画再生が可能なもので構成できる。
【００５５】
［動作の説明］
次に、図２の携帯電話端末の可視光通信によるＷｅｂ認証システムの動作を図６に示すタイムチャートを使用して説明する。
【００５６】
図２において、ＸＹＺ．ｃｏｍのサイトを閲覧したいユーザがＸＹＺ．ｃｏｍサイト情報を持つＷｅｂサーバにアクセスすると、認証要求がＷｅｂサーバから認証サーバに与えられる。
【００５７】
認証要求を受信した認証サーバは、認証先ＷｅｂサーバのＸＹＺ．ｃｏｍサイトに対するＩＤ情報を生成し、Ｗｅｂサイトとの紐付けを行ってＩＤ情報データベースに格納する。紐付けされたデータベースの例を表３に示す。
【００５８】
【表３】
2006268689.tif 000005
そして生成されたＩＤ情報をＷｅｂサーバにインターネットを通じて送信する。
【００５９】
ＩＤ情報を受信したＷｅｂサーバは、ＩＤ情報処理プログラムによってそのＩＤ情報を色情報へ符号化し、色情報を時系列に並べた動画データに変換を行う。
【００６０】
ここでは生成されたＩＤ情報が「１２３」であるため、図の対応表を利用して、色情報の動画データの符合は「ＷＲＢＧＷＲＢＧＷＲＢＧＷ」とする。
【００６１】
符号と色情報の関係は「Ｗ:白、Ｒ:赤、Ｇ:緑、Ｂ:青」とし、今回の例では時間に伴って、「白赤青緑白赤・・・」と変化する動画としている。
【００６２】
符号化された動画データは、認証を行うＷｅｂサイトの情報の一つとしてパソコンへ送信し、パソコンのディスプレイを用いて色情報の動画データを光情報として空間に発信する。
【００６３】
認証を受けたいユーザは、パソコン２０４を通じてＷｅｂサーバが発信している動画情報を携帯電話端末のカメラを用いて受光し、認証サーバに接続する電話番号へテレビ電話を掛けて発信して色情報の動画データを認証サーバへ送信する。
【００６４】
テレビ電話の着信を受けた認証サーバ１０２は、発信元であるユーザの電話番号と同時にテレビ電話内の動画を取得する。
【００６５】
電話番号の取得をした認証サーバ１０２は、表４に示されたような電話番号データベースに検索を行い、ユーザの電話番号が登録されているかどうか照合を行う。
【００６６】
【表４】
2006268689.tif 000006
データベースに電話番号の登録がない場合は認証を中止する。
【００６７】
データベースに登録されている場合は、取得された動画データに含まれる色情報からＩＤ情報の復号を行ってＩＤ情報を取得し、ＩＤ情報データベースを検索することによってユーザが認証されたいＷｅｂサイトの情報を取得する。
【００６８】
ＩＤ情報への復号が失敗した場合、またはデータベース上に存在しなかった場合は認証中止とする。
【００６９】
ＩＤ情報が復号され、データベースの情報と一致する場合は、認証を許可とする。
【００７０】
ここで認証サーバ１０２は、新たなＩＤ情報を生成してＷｅｂサーバへ送信し、Ｗｅｂサーバは新たなＩＤ情報を持つ動画を発光させて、携帯電話端末の可視光通信を通じた認証サーバとの認証作業を繰り返すことでセキュリティ強度を高めてもよい。
【００７１】
完全に認証を許可としたら、Ｗｅｂサイト閲覧の許可をＷｅｂサーバへ送信することによって、ユーザは希望するＷｅｂサイトにアクセスすることが可能となる。
【００７２】
［他の実施の形態］
本発明の他の実施の形態として、その基本的構成は上記の通りであるが、ＩＤ情報の照合方法についてさらに工夫している。
【００７３】
例として認証装置を金融機関のＡＴＭ現金支払機として示し、その構成を図７、フローチャートを図８に示す。
【００７４】
図７において、ユーザからキャッシュカードを挿入されたＡＴＭ現金支払機３０４は、カード内情報の口座番号を読み取って、その番号を認証サーバ１０２へ送信する。
【００７５】
口座番号を受信した認証サーバ１０２は、口座番号に対応する電話番号をデータベースから取得し、その電話番号に対応するユニークなＩＤ情報を生成する。
【００７６】
ＩＤ情報は認証サーバ１０２内において色情報の動画へ符号化を行い、認証サーバ１０２からテレビ電話を口座番号に対応したユーザの携帯電話端末１０５に向けて発信する。
【００７７】
認証サーバ１０２からのテレビ電話を受信したユーザは、ＩＤ情報が含まれている動画を発光している端末のディスプレイを、ＡＴＭ現金支払機３０４に装備されている受光部にかざすことで可視光通信を行う。
【００７８】
携帯電話端末１０５から発せられた動画を受光したＡＴＭ現金支払機３０４は、動画をＩＤ情報へ復号する処理を行い、復号が失敗した場合には認証を中止する。
【００７９】
動画の復号からＩＤ情報を得られたＡＴＭ現金支払機３０４は、その復号したＩＤ情報とそのＡＴＭ現金支払い機３０４自身の識別番号を紐付けして、認証サーバへ返答をする。
【００８０】
ＡＴＭ現金支払機３０４からのＩＤ情報を受信した認証サーバ１０２は、そのＩＤ情報が、そのＡＴＭ現金支払機３０４からの要求で生成したＩＤ情報かどうか照合を行い、口座番号のユーザの携帯電話へ向けて発信したＩＤ情報かどうか認証することによって、ＡＴＭ現金支払機３０４の操作を行っているものが本人かどうかの認証を行う。
【００８１】
本人と認証された場合、認証サーバ１０２は現金処理許可の信号をＡＴＭ現金支払機３０４に送信することで、ＡＴＭ現金支払機３０４はユーザに対して現金の処理を行う。
【００８２】
このように、本実施の形態では、個人情報を電話番号で管理することによって、テレビ電話を通じたＩＤ情報を送信してＡＴＭ現金支払機３０４と携帯電話端末１０５間の通信をしているので、電話番号を通じた本人認証と可視光通信によってＡＴＭ現金支払機３０４の前にユーザがいるという位置認証を同時に行うことができるという効果が得られる。
【００８３】
また、ＡＴＭ現金支払機３０４は携帯電話のディスプレイから発せられる色情報のみを取得すればよいため、その受光素子はフォトダイオードと色フィルタを用いたシンプルな装置構成で実現できる。
【００８４】
認証サーバ１０２側で一切の制御を行いユーザに対して、ＰＵＬＬ型の認証方式となり、ユーザからテレビ電話の発信を行う必要がなく認証を行うことができる。
【００８５】
本構成において、図９のフローチャートを示すように、ＩＤ情報を予め認証装置へ登録させておくことによって、常に固定された色情報を発光させて、ユーザはテレビ電話を用いてその色情報を認証サーバへ発信することで、認証サーバはＩＤ情報への復号およびデータベースの検索から、色情報発信源の情報をユーザに通知する方法で構成してもよい。
【００８６】
具体例としては、店のネオンにＩＤ情報を持った色情報を点灯させ、ユーザはそのネオンの点灯を認証サーバにテレビ電話の上り回線で送信することで、受信した認証サーバは色情報を復号化し、ＩＤ情報を取り出して送信元ネオンの店を特定し、テレビ電話の下り回線にてその店のＣＭ動画をユーザに流してもよい。
【００８７】
またはテレビ通信後にコールバック、メール送信などの通信手段にてそのユーザの携帯電話端末へその店の情報（Ｗｅｂサイトや割引券など）を通知してもよい。
【００８８】
本構成において、ＩＤ情報を持った色情報の発信をテレビ番組またはパソコンのＷｅｂコンテンツ上で表示させて、コンテンツ課金または通信販売の課金認証に使用する方法で構成してもよい。
【００８９】
前述認証装置をテレビまたはパソコンなどのディスプレイとし、課金を行いたいＷｅｂコンテンツでは、Ｗｅｂ情報に紐付けしたＩＤ情報を持つ動画を同時に画面上に表示させておく。
【００９０】
支払い・購入を行いたいユーザは、画面上のＩＤ情報の動画をテレビ電話を利用してサーバへ発信をする。
【００９１】
テレビ電話を着信した認証サーバは、動画を復号することによってユーザの購入したいコンテンツ／商品に紐付けされたＩＤ情報を取得し、同時に電話番号を取得するから、商品と個人情報を紐付けすることによって、特定されたユーザに特定された商品を課金することとする。
【００９２】
本構成において、携帯電話端末が盗難にあった際のセキュリティ保護として、携帯電話端末から認証サーバへテレビ電話発信を行う際に、テレビ電話を通じてユーザの顔映像を認証サーバに転送して、認証サーバでユーザの顔認識を行うことによって個人認証を行い、その後にＩＤ情報の認証作業に移行するようにしてもよい。
【産業上の利用可能性】
【００９３】
本発明は、認証装置としてパソコンやＡＴＭ自動支払機に利用することができる。
【図面の簡単な説明】
【００９４】
【図１】本発明の概要を説明するために使用するブロック図である。
【図２】本発明の一実施の形態としての携帯電話のテレビ電話を用いたＷｅｂ認証が示されている。
【図３】図２に示すＷｅｂサーバ１０６と、パソコン２０４との構成を詳細に示すブロック図である。
【図４】図２に示す色情報による可視光通信の詳細な構成を示す図である。
【図５】図２に示す認証サーバ１０２の詳細な構成が示すブロック図である。
【図６】図２の携帯電話端末の可視光通信によるＷｅｂ認証システムの動作を示すタイムチャートである。
【図７】本発明の他の実施の形態の構成を示すブロック図である。
【図８】本発明の他の実施の形態の動作を示すフローチャートである。
【図９】本発明の他の実施の形態の動作を示すフローチャートである。
【符号の説明】
【００９５】
１０１  移動通信ネットワーク
１０１ａ  移動通信基地局
１０２  認証サーバ
１０３  インターネット
１０４  認証装置
１０４ａ  発光／受光素子
１０５  携帯電話端末
１０５ａ  発光／受光素子
１０６  Ｗｅｂサーバ
１０７  ゲート
２０４  パソコン
３０４  ＡＴＭ現金支払機
【図１】
2006268689.tif 000007
【図２】
2006268689.tif 000008
【図３】
2006268689.tif 000009
【図４】
2006268689.tif 000010
【図５】
2006268689.tif 000011
【図６】
2006268689.tif 000012
【図７】
2006268689.tif 000013
【図８】
2006268689.tif 000014
【図９】
2006268689.tif 000015